(57)【要約】【課題】商品代金決済時の処理を効率的に行うことが可能な注文データ処理システム及び注文管理プログラムを提供する。【解決手段】商品の注文を受け付ける注文受付端末は、商品代金の会計を行う客毎に配布された会計カードからカード識別情報を読み出し、この客の注文内容を表した注文データとともに注文管理サーバへ送信し、注文管理サーバは、これらの情報を関連付けて管理する。商品代金の精算を行う会計端末では、会計を行う客毎に配布された会計カードのカード識別情報に基づき、このカード識別情報に関連付けて管理された注文データを注文管理サーバから取得する。【選択図】図５
2010176549.tif 000002
【特許請求の範囲】
【請求項１】
商品の注文を受け付ける注文受付端末と、前記注文受付端末で受け付けた注文内容を管理する注文管理サーバと、前記注文管理サーバが管理する前記注文内容に基づいて、注文された商品の商品代金を精算する会計端末とを有した注文データ処理システムにおいて、
前記注文受付端末は、前記商品代金の支払いを行う客毎に配布された会計カードから、カード識別情報を読み取る第１読取手段と、商品の注文を受けこの注文内容を表した注文データを生成する注文受付手段と、前記カード識別情報と前記注文データとを前記注文管理サーバに送信する送信手段と、を備え、
前記注文管理サーバは、前記注文受付端末から送信された前記カード識別情報と前記注文データとを関連付けて管理する注文管理手段を備え、
前記会計端末は、前記会計カードから前記カード識別情報を読み取る第２読取手段と、前記第２読取手段が読み取る前記カード識別情報と関連付けて管理された注文データを、前記注文管理サーバから取得する注文データ取得手段と、を備えたことを特徴とする注文データ処理システム。
【請求項２】
前記送信手段は、前記客が使用する卓を識別可能な卓識別情報を、前記カード識別情報及び前記注文データとともに送信し、
前記注文管理手段は、前記注文受付端末から送信された前記カード識別情報、前記注文データ及び前記卓識別情報を関連付けて管理することを特徴とする請求項１に記載の注文データ処理システム。
【請求項３】
前記注文受付端末は、前記卓毎に設けられるとともに、他の注文受付端末と識別可能な端末識別情報を記録した第２記録手段を更に備え、
前記送信手段は、前記第２記録手段に記録された前記端末識別情報を、前記卓識別情報として送信することを特徴とする請求項２に記載の注文データ処理システム。
【請求項４】
前記注文受付端末は、前記卓識別情報の入力を受け付ける受付手段を更に備え、
前記送信手段は、前記受付手段で受け付けた前記卓識別情報を、前記カード識別情報及び前記注文データとともに送信することを特徴とする請求項２に記載の注文データ処理システム。
【請求項５】
商品の注文を受付可能な複数の注文受付端末及び商品代金の精算を行う会計端末と通信可能に構成され、各注文受付端末で受付けられた注文内容を会計端末に通知する注文管理装置のコンピュータに、
前記注文受付端末の各々から送信される、前記商品代金の支払いを行う客毎に配布された会計カードのカード識別情報と、前記注文内容を表した注文データとを受信する第１受信手段と、
前記カード識別情報と前記注文データとを関連付けて管理する注文管理手段と、
前記会計端末から送信される前記カード識別情報を受信する第２受信手段と、
前記第２受信手段が受信した前記カード識別情報と関連付けて管理された注文データを前記会計端末に通知する通知手段と、
として機能させるための注文管理プログラム。
【発明の詳細な説明】
【技術分野】
【０００１】
本発明は、注文データ処理システム及び注文管理プログラムに関する。
【背景技術】
【０００２】
従来、飲食店等の店舗においては、各卓に設けられた注文受付端末を客自らが操作することで、商品の注文を行うセルフオーダー方式のシステムが広く導入されている。このシステムでは、注文受付端末を介して入力された注文データが店舗側の管理装置へと無線送信されることで、この注文内容が厨房の調理作業者に指示されるよう構成されている。また、従来、セルフオーダー方式のシステムについて種々の技術が提案されており、例えば、特許文献１には、客からのコール内容が確認でき、かつ各卓でのオーダーリストの確認が可能な店員端末装置を備えることで、客のオーダーがどの卓で行われているかを把握できるようにしたシステムが開示されている。
【発明の概要】
【発明が解決しようとする課題】
【０００３】
ところで、上述したセルフオーダー方式のシステムでは、注文受付端末が設けられた卓単位で会計が処理されることになる。例えば、複数人の客からなるグループ客が一の卓を使用するような場合、この卓に設けられた注文受付端末を各人が共用することになる。しかしながら、このシステムでは、グループ客の各人が個別に会計を行う場合、各人が注文した商品名を口頭で伝えることが必要となるため、会計に係る処理が繁雑になるという問題がある。
【０００４】
また、複数のグループ客が一つの卓を利用し、グループ毎に会計を行うような場合であっても、セルフオーダー方式のシステムでは、何れのグループ客のメンバーが注文した商品かを会計時に明確にする必要があるため、会計に係る処理が繁雑になるという問題がある。なお、上記特許文献１の技術では、商品の注文を卓単位で把握することは可能であるが、会計時の処理については何等考慮されていないため、上記の問題を解決することはできない。
【０００５】
本発明は上記に鑑みてなされたものであって、会計に係る処理を効率的に行うことが可能な注文データ処理システム及び注文管理プログラムを提供することを目的とする。
【課題を解決するための手段】
【０００６】
上述した課題を解決し、目的を達成するために、本発明は、商品の注文を受け付ける注文受付端末と、前記注文受付端末で受け付けた注文内容を管理する注文管理サーバと、前記注文管理サーバが管理する前記注文内容に基づいて、注文された商品の商品代金を精算する会計端末とを有した注文データ処理システムにおいて、前記商品代金の支払いを行う客毎に配布され、互いに識別可能なカード識別情報を記録した第１記録手段を備える会計カードを更に有し、前記注文受付端末は、前記会計カードの前記カード識別情報を読み取る第１読取手段と、前記注文内容を表す注文データを生成する注文受付手段と、前記カード識別情報及び前記注文データを前記注文管理サーバに送信する送信手段と、を備え、前記注文管理サーバは、前記注文受付端末から送信された前記カード識別情報と前記注文データとを関連付けて管理する注文管理手段を備え、前記会計端末は、前記会計カードの前記カード識別情報を読み取る第２読取手段と、前記第２読取手段で読み取られた前記カード識別情報に関連付けられた注文データを、前記注文管理手段から取得する注文データ取得手段と、を備える。
【０００７】
また、本発明は、商品の注文を受付可能な複数の注文受付端末及び商品代金の精算を行う会計端末と通信可能に構成され、各注文受付端末で受付けられた注文内容を会計端末に通知する注文管理装置のコンピュータに、前記注文受付端末の各々から送信される、前記商品代金の支払いを行う客毎に配布された会計カードのカード識別情報と、前記注文内容を表した注文データとを受信する第１受信手段と、前記カード識別情報と前記注文データとを関連付けて管理する注文管理手段と、前記会計端末から送信される前記カード識別情報を受信する第２受信手段と、前記第２受信手段が受信した前記カード識別情報と関連付けて管理された注文データを前記会計端末に通知する通知手段と、として機能させる。
【発明の効果】
【０００８】
本発明によれば、会計に係る処理を効率的に行うことが可能な注文データ処理システム及び注文管理プログラムを提供することができる。
【図面の簡単な説明】
【０００９】
【図１】図１は、注文データ処理システムの全体構成を概略的に示したシステム構成図である。
【図２】図２は、図１に示した注文受付端末２０の構成の一例を示したブロック図である。
【図３】図３は、図１に示した注文管理サーバ３０の構成の一例を示したブロック図である。
【図４】図４は、図３に示した注文管理ＤＢ３４１の一例を示した図である。
【図５】図５は、注文データ処理システムにより実行される注文データ処理の手順を示したシーケンス図である。
【発明を実施するための形態】
【００１０】
以下、添付図面を参照して、本発明に係る注文データ処理システム及び注文管理プログラムの最良な実施形態を詳細に説明する。なお、以下に説明する実施形態により本発明が限定されるものではない。
【００１１】
図１は、本願発明に係る注文データ処理システムの全体構成を概略的に示したシステム構成図である。この注文データ処理システムは、飲食店等の店舗に導入されるセルフオーダー方式のシステムであって、同図に示したように、来店した客に配布される複数の会計カード１０と、店舗内の各卓に設けられた複数の注文受付端末２０と、注文受付端末２０の各々から送信される注文データを管理する注文管理サーバ３０と、注文管理サーバ３０が管理する注文データに基づいて商品代金の精算を行う会計端末４０と、を備えている。ここで、各注文受付端末２０と注文管理サーバ３０とは、無線又は有線により通信可能に接続されている。また、注文管理サーバ３０と会計端末４０とは、無線又は有線により通信可能に接続されている。
【００１２】
まず、会計カード１０について説明する。会計カード１０は、各会計カード１０を互いに識別することが可能な識別情報（以下、カード識別情報という）を記録した、磁気テープやＩＣタグ等の記録媒体１１を有している。ここで、会計カード１０は、商品の注文時及び商品の会計時に使用され、各会計カード１０に保持されたカード識別情報の単位で注文の管理と精算とが行われる。なお、会計カード１０は、商品代金の支払いを実際に行う客毎に配布されるものとする。
【００１３】
次に、注文受付端末２０について説明する。注文受付端末２０は、店舗内の各卓に設けられた注文を受け付けるための端末装置である。各卓を利用する客は、注文受付端末２０を操作することで、所望する商品の注文を行うことが可能となっている。
【００１４】
図２は、注文受付端末２０の構成の一例を示したブロック図である。同図に示したように、注文受付端末２０は、制御部２１と、表示部２２と、入力部２３と、読取部２４と、通信部２５とを備えている。
【００１５】
制御部２１は、ＣＰＵ、当該ＣＰＵが実行する各種のプログラムやデータの他、他の注文受付端末２０と識別可能な識別情報（以下、端末識別情報という）を格納したＲＯＭ、ＲＡＭから構成され、注文受付端末２０の動作を統括的に制御する。なお、本実施形態では、注文受付端末２０が店舗内の各卓に設けられているため、各注文受付端末２０が保持する端末識別情報は各卓を識別するための卓識別情報として機能する。
【００１６】
制御部２１は、ＲＯＭ等に格納された所定のプログラムを実行することで、各種の機能を実現する。制御部２１は、注文可能な商品に関する情報を表した商品メニューを表示部２２に表示する。ここで、注文受付端末２０を操作する客は、この商品メニューに基づいて所望する商品の商品名と、その注文数とを入力部２３を介して指示することで、商品の注文が行われるようになっている。
【００１７】
また、制御部２１は、入力部２３を介して商品の注文を受け付け、この注文により選択された商品の商品名及び注文数等を含んだ注文データを生成する。そして、制御部２１は、生成した注文データを、この注文の際に読取部２４により読み取られた会計カード１０のカード識別情報と、自己の注文受付端末２０の端末識別情報とともに注文管理サーバ３０へ送信する。
【００１８】
表示部２２は、ＬＣＤパネル等の表示デバイス等に構成され、制御部２１の制御に従い、商品メニュー等の各種の情報を表示する。入力部２３は、操作ボタンや表示部２２と一体的に設けられるタッチパネル等の入力デバイスにより構成され、操作入力された指示情報を制御部２１に出力する。
【００１９】
読取部２４は、会計カード１０に記録されたカード識別情報を読み取るための読取装置
であって、読み取ったカード識別情報を制御部２１に出力する。読取部２４は、予め設定された読取場所に置かれた会計カード１０からカード識別情報を読み取る。
【００２０】
通信部２５は、注文管理サーバ３０と通信可能なインタフェース等により構成され、注文受付端末２０（制御部２１）と注文管理サーバ３０との間の通信を制御する。
【００２１】
次に、注文管理サーバ３０について説明する。注文管理サーバ３０は、各注文受付端末２０から送信された注文データ、カード識別情報及び卓識別情報を受け付け、これら各情報を関連付けて管理するサーバ装置である。
【００２２】
図３は、注文管理サーバ３０の構成の一例を示したブロック図である。同図に示したように、注文管理サーバ３０は、制御部３１と、表示部３２と、入力部３３と、記憶部３４と、通信部３５とを備えている。
【００２３】
制御部３１は、ＣＰＵ、当該ＣＰＵが実行する各種のプログラムやデータを格納したＲＯＭ、プログラム展開用のバッファとして機能するＲＡＭ等から構成され、注文管理サーバ３０の動作を統括的に制御する。
【００２４】
表示部３２は、ＬＣＤパネル等の表示デバイス等に構成され、制御部３１の制御に従い、後述する注文管理ＤＢ（データベース）３４１に記憶された注文データ等の各種の情報を表示する。入力部３３は、操作ボタンや表示部３２と一体的に設けられるタッチパネル等の入力デバイス等により構成され、操作入力された指示情報を制御部３１に出力する。
【００２５】
記憶部３４は、制御部３１（ＣＰＵ）が実行するプログラムや、各種のデータを予め格納している。また、記憶部３４は、注文データ、カード識別情報及び卓識別情報を関連付けて管理するための注文管理ＤＢ（データベース）３４１を保持している。
【００２６】
図４は、注文管理ＤＢ３４１が記憶する情報の一例を示した図である。同図に示したように、注文管理ＤＢ３４１には、カード識別情報ＣＡ、ＣＢと、このカード識別情報を用いて注文された注文内容を表す注文データＯＡ、ＯＢと、この注文データを送信した注文受付端末２０の端末識別情報（卓識別情報）ＴＡと、が夫々関連付けて記憶（管理）されている。
【００２７】
制御部３１は、注文受付端末２０からカード識別情報、注文データ及び端末識別情報（卓識別情報）の組を受け付けると、図４に示したように、これらの情報を関連付けて記憶部３４の注文管理ＤＢ３４１に登録する。また、制御部３１は、この注文管理ＤＢ３４１に記憶された各情報を表示部３２等に出力することで、各卓での注文状況を調理作業者等の店員に通知する。
【００２８】
また、制御部３１は、特定のカード識別情報を指定した検索キーを会計端末４０から受け付けると、この検索キーと関連付けて記憶された注文データを注文管理ＤＢ３４１から読み出し、当該検索キーを送信した会計端末４０宛に送信する。
【００２９】
さらに、制御部３１は、カード識別情報を含んだ会計完了情報を会計端末４０から受け付けると、このカード識別情報と一致するエントリを注文管理ＤＢ３４１から削除することで、当該カード識別情報に対応する会計カード１０を再配布可能な状態にリセットする。
【００３０】
通信部３５は、注文受付端末２０及び会計端末４０と通信可能なインタフェース等により構成され、注文管理サーバ３０と注文受付端末２０及び会計端末４０との間の通信を制御する。
【００３１】
次に、会計端末４０について説明する。会計端末４０は、店舗の出入口付近に設置され、注文された商品の商品代金の精算を行うＰＯＳ端末等の端末装置である。
【００３２】
会計端末４０は、制御部と、表示部と、入力部と、記憶部と、読取部と、通信部と、プリンタ部とを備えている（何れも図示せず）。
【００３３】
制御部は、会計端末４０の動作を統括的に制御する。表示部は、制御部の制御に従い、商品代金や釣銭額等の各種の情報を表示する。入力部は、キーボードである。記憶部は、制御部が実行するプログラムや、各種のデータを予め格納している。読取部は、上述した読取部２４と同様会計カード１０に記録されたカード識別情報を読み取るための読取装置であって、読み取ったカード識別情報を制御部に出力する。通信部は、会計端末４０と注文管理サーバ３０との間の通信を制御する。
【００３４】
商品代金の支払いを行う客は、会計端末４０を操作するオペレータである店員に会計カード１０を返却する。店員によって操作される会計端末４０の読取部は、会計カード１０のカード識別情報を読み取る。
【００３５】
そして、会計端末４０の制御部は、読取部で読み取られたカード識別情報を受け付けると、この識別情報を検索キーとして注文管理サーバ３０に送信することで、当該検索キーに関連付けられた注文データを注文管理サーバ３０から取得する。
【００３６】
また、会計端末４０の制御部は、各商品の単価と、注文データに含まれた各商品についての注文数とから支払金額を算出し、表示部への画面出力や、プリンタ部を用いたレシート出力を行う。なお、各商品の単価を定義したデータは、記憶部に予め記憶されている。
【００３７】
さらに、会計端末４０の制御部は、締めキー等の入力により会計が完了したことを検知すると、この会計に係るカード識別情報を含んだ会計完了情報を注文管理サーバ３０に送信することで、注文管理ＤＢ３４１に記憶された、このカード識別情報に対応するエントリの削除を制御部３１に指示する。
【００３８】
以下、図５を参照し、注文データ処理システムの動作について説明する。ここで、図５は、本実施形態の注文データ処理システムにより実行される注文データ処理の手順を示したシーケンス図である。本処理では、一つの事例として、卓Ａに設けられた注文受付端末２０Ａを用いて、複数人から構成される二つのグループ客（以下、各グループ客を客ＵＡ、客ＵＢと表記する）により注文が行われた際の手順について説明する。なお、グループ単位で支払いが行われるものとし、客ＵＡに対し会計カード１０Ａが、客ＵＢに対し会計カード１０Ｂが夫々配布されているものとする。
【００３９】
まず、客ＵＡを構成する何れかの人により会計カード１０Ａが、注文受付端末２０Ａの所定の位置に載置又は保持されると、注文受付端末２０Ａの読取部２４は、この会計カード１０Ａからカード識別情報ＣＡを読み取る（ステップＳ１１）。
【００４０】
続いて、注文受付端末２０Ａが操作され商品の注文を受け付けると、制御部２１は、この注文内容を表した注文データＯＡを生成する（スップＳ１２）。そして、制御部２１は、生成した注文データＯＡを、ステップＳ１１で読み取られたカード識別情報ＣＡと、注文受付端末２０Ａの端末識別情報ＴＡとともに、注文管理サーバ３０へ送信する（ステップＳ１３）。
【００４１】
一方、注文管理サーバ３０では、注文受付端末２０Ａから送信されたカード識別情報ＣＡ、注文データＯＡ及び端末識別情報ＴＡを受信すると、制御部３１がこれらの情報を関連付けて注文管理ＤＢ３４１に登録する（ステップＳ１４）。
【００４２】
また、客ＵＢを構成する何れかの人により会計カード１０Ｂが、注文受付端末２０Ａの所定の位置に載置又は保持されると、注文受付端末２０Ａの読取部２４は、この会計カード１０Ｂからカード識別情報ＣＢを読み取る（ステップＳ１５）。
【００４３】
続いて、注文受付端末２０Ａが操作され商品の注文を受け付けると、制御部２１は、この注文内容を表した注文データＯＢを生成する（ステップＳ１６）。そして、制御部２１は、生成した注文データＯＢを、ステップＳ１５で読み取られたカード識別情報ＣＢと、注文受付端末２０Ａの端末識別情報ＴＡとともに、注文管理サーバ３０へ送信する（ステップＳ１７）。
【００４４】
一方、注文管理サーバ３０では、注文受付端末２０Ａから送信されたカード識別情報ＣＢ、注文データＯＢ及び端末識別情報ＴＡを受信すると、制御部３１がこれらの情報を関連付けて注文管理ＤＢ３４１に登録する（ステップＳ１８）。なお、この時点における注文管理ＤＢ３４１の登録状態は、上述した図４と同様となる。
【００４５】
その後、客ＵＡは卓Ａで注文した商品の会計を行うため、会計端末４０を操作する店員に会計カード１０Ａを返却する。そして、この店員により会計端末４０の所定の位置に会計カード１０Ａが配置又は保持されると、会計端末４０の読取部は、会計カード１０Ａからカード識別情報ＣＡを読み取る（ステップＳ１９）。会計端末４０の制御部は、ステップＳ１９で読み取られたカード識別情報ＣＡを検索キーとし、これを注文管理サーバ３０へ送信する（ステップＳ２０）。
【００４６】
注文管理サーバ３０では、会計端末４０から送信された検索キー（カード識別情報ＣＡ）を受信すると、制御部３１が、このカード識別情報ＣＡに関連付けて記憶された注文データＯＡを注文管理ＤＢ３４１から読み出し、会計端末４０へ送信する（ステップＳ２１）。
【００４７】
そして、会計端末４０では、制御部が注文管理サーバ３０から送信された注文データＯＡが表す注文内容と、予め定められた各商品の単価とに基づいて支払金額を算出し、表示部やプリンタ部を用いてその明細を出力する（ステップＳ２２）。
【００４８】
ここで、算出された支払金額は、客ＵＡが注文した商品についての代金となるため、客ＵＡの支払いを行う者は提示された支払代金を店員に支払うことで会計は完了する。会計端末４０の制御部は、締めキー等の入力により会計が完了したことを検知すると、この会計に係るカード識別情報ＣＡを含んだ会計完了情報を注文管理サーバ３０へ送信する（ステップＳ２３）。
【００４９】
注文管理サーバ３０の制御部３１は、会計端末４０から会計完了情報を受け付けると、この会計完了情報に含まれたカード識別情報ＣＡに対応するエントリを注文管理ＤＢ３４１から削除する（ステップＳ２４）。これにより、カード識別情報ＣＡに対応する会計カード１０Ａは再配布可能な状態にリセットされる。
【００５０】
また、客ＵＢについても同様に、注文した商品の会計を行うため、会計端末４０を操作する店員に会計カード１０Ｂを返却する。そして、この店員により会計端末４０の所定の位置に会計カード１０Ｂが配置又は保持されると、会計端末４０の読取部は、この会計カード１０Ｂからカード識別情報ＣＢを読み取る（ステップＳ２５）。会計端末４０の制御部は、ステップＳ２５で読み取られたカード識別情報ＣＢを検索キーとし、これを注文管理サーバ３０へ送信する（ステップＳ２６）。
【００５１】
注文管理サーバ３０では、会計端末４０から送信された検索キー（カード識別情報ＣＢ）を受信すると、制御部３１が、このカード識別情報ＣＢに関連付けて記憶された注文データＯＢを注文管理ＤＢ３４１から読み出し、会計端末４０へ送信する（ステップＳ２７）。
【００５２】
そして、会計端末４０では、制御部が注文管理サーバ３０から送信された注文データＯＢが表す注文内容と、予め定められた各商品の単価とに基づいて支払金額を算出し、表示部やプリンタ部を用いてその明細を出力する（ステップＳ２８）。
【００５３】
ここで、算出された支払金額は、客ＵＢが注文した商品についての代金となるため、客ＵＢの支払いを行う者は提示された支払代金を店員に支払うことで会計は終了する。会計端末４０の制御部は、締めキー等の入力により会計が完了したことを検知すると、この会計に係るカード識別情報ＣＢを含んだ会計完了情報を注文管理サーバ３０へ送信する（ステップＳ２９）。
【００５４】
注文管理サーバ３０の制御部３１は、会計端末４０から会計完了情報を受け付けると、この会計完了情報に含まれたカード識別情報ＣＢに対応するエントリを注文管理ＤＢ３４１から削除する（ステップＳ３０）。これにより、カード識別情報ＣＢに対応する会計カード１０Ｂは再配布可能な状態にリセットされる。
【００５５】
以上のように、本実施形態によれば、会計を行う客毎に会計カード１０を配布し、この会計カード１０が保持するカード識別情報を、注文された商品の注文データと関連付けて管理することで、商品の精算を会員カード単位で行うことが可能となる。これにより、上記事例で説明したように、複数のグループ客が一つの卓を利用し、グループ毎に会計を行うような場合であっても、何れのグループのメンバーが注文した商品かを明確にする必要はなくなるため、会計に係る処理を効率的に行うことができる。
【００５６】
また、上記事例において、客ＵＡ、ＵＢを単体の客人（即ち客ＵＡ、客ＵＢから構成されるグループ客）とし、各人が個別に支払いを行う場合であっても、各人が注文した商品名を口頭で伝える必要はなくなるため、会計に係る処理を効率的に行うことができる。
【００５７】
以上、本発明の実施の形態について説明したが、本発明はこれに限定されるものではなく、本発明の主旨を逸脱しない範囲での種々の変更、置換、追加等が可能である。
【００５８】
例えば、上記実施形態では、注文受付端末２０が各卓に設けられるセルフオーダー方式のシステムに本発明を適用した例を示したが、これに限らず、店員が注文受付端末２０を携帯し客からの注文を受け付ける通常のシステムに適用することとしてもよい。このシステムの場合、注文受付端末２０が保持する端末識別情報は店舗内の各卓とは一対一に対応しないため、各卓を識別するための卓識別情報が店員により入力部２３を介して入力されるものとする。そして、制御部２１は、上述した端末識別情報に替えて、店員により入力された卓識別情報を、カード識別情報及び注文データとともに注文管理サーバ３０へ送信するものとする。
【００５９】
なお、上記実施形態の各装置で実行されるプログラムは、インストール可能な形式又は実行可能な形式のファイルでＣＤ−ＲＯＭ、フレキシブルディスク、ＣＤ−Ｒ、ＤＶＤ等のコンピュータで読み取り可能な記録媒体に記録して提供するように構成してもよい。さらに、記録媒体は、コンピュータ或いは組み込みシステムと独立した媒体に限らず、ＬＡＮやインターネット等により伝達されたプログラムをダウンロードして記憶又は一時記憶した記録媒体も含まれる。
【００６０】
また、上記実施形態の各装置で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【産業上の利用可能性】
【００６１】
以上のように、本発明にかかる注文データ処理システム及び注文管理プログラムは、セルフオーダー方式のシステムに有用であり、特に、複数のグループ客が一の注文受付端末を共用するような場合に適している。
【符号の説明】
【００６２】
１０  会計カード
１１  記録媒体
２０  注文受付端末
２１  制御部
２２  表示部
２３  入力部
２４  読取部
２５  通信部
３０  注文管理サーバ
３１  制御部
３２  表示部
３３  入力部
３４  記憶部
３４１  注文管理ＤＢ
３５  通信部
４０  会計端末
【先行技術文献】
【特許文献】
【００６３】
【特許文献１】特開２００５−２４２８４６号公報
【図１】
2010176549.tif 000003
【図２】
2010176549.tif 000004
【図３】
2010176549.tif 000005
【図４】
2010176549.tif 000006
【図５】
2010176549.tif 000007